(57)【特許請求の範囲】
【請求項１】
水栓に取り付けられ、吐水される湯水の温度調節又は流路切替を行うハンドルにおいて、該ハンドルは吐水される湯水の温度，吐水方向等を示す表示が施された表示プレートを形成し、該表示プレートを覆うカバーを回転不能に固定し、該カバーには前記表示プレートの表示を拡大表示する表示部材を取り付け、ハンドルの回転に伴って表示部材と重なる表示を拡大して表示することを特徴とするハンドルの表示装置。
【請求項２】
前記カバーは表示部材と重なる表示のみを拡大表示することを特徴とする請求項１記載のハンドルの表示装置。
【発明の詳細な説明】
【０００１】
【発明の属する技術分野】
本発明は、水栓に取り付けてその用途や操作方法等を表示するハンドルの表示装置に関する。
【０００２】
【従来の技術】
従来、水栓に取り付けられ、吐水される湯水の温度調節又は流路切替をハンドルの操作で行うものに図５及び図６のものがある。この図５及び図６について簡単に説明すると、水栓４２は湯水の温度を調節する温調部４３と、湯水が吐水される流路をカラン又はシャワー等に切替える切替部４４とが別体に形成されており、各部４３，４４はカウンター４１等の内部に収容され、操作を行うハンドル４５，４５ａがカウンター４１上に並列して装着されている。各ハンドル４５，４５ａの下方には、湯水の吐水温度やカラン又はシャワー等の吐水方向を示す表示４７が施された表示プレート４６が設けられている。
【０００３】
上記において、図６に示すように前記表示プレートには、「カラン」「シャワー」等のように吐水される湯水の吐水方向の表示や、「４０」「湯」等のように吐水される湯水の温度を示す表示が施されているが、誤操作を防止するために表示を大きくしているため、表示が施されている表示プレートの大きさが大きくなり過ぎてしまい、意匠性や操作性が悪くなっていた。また、表示プレートを小型化しようとすると表示も小さくなってしまい、目の不自由な者や慣れない者にとっては操作するハンドルを間違えたり、操作方向を間違う恐れがあった。
【０００４】
【発明が解決しようとする課題】
本発明が解決しようとする課題は、意匠性，操作性が損なわれることなく、湯水の吐水温度や操作方向等を示す表示の視認性が高いハンドルの表示装置を提供することである。
【０００５】
【課題を解決するための手段】
本発明は請求項１では、水栓に取り付けられ、吐水される湯水の温度調節又は流路切替を行うハンドルにおいて、該ハンドルは吐水される湯水の温度，吐水方向等を示す表示が施された表示プレートを形成し、該表示プレートを覆うカバーを回転不能に固定し、該カバーには前記表示プレートの表示を拡大表示する表示部材を取り付け、ハンドルの回転に伴って表示部材と重なる表示を拡大して表示するものである。
【０００６】
請求項２では、前記カバーは表示部材と重なる表示のみを拡大表示するものである。
【０００７】
【発明の実施の形態】
以下、本発明の実施の形態を図に基づいて詳細に説明する。
図１に示すように、浴室のカウンター１に取り付けられた水栓２は、温調部３と切替部１３とにより構成され、該温調部３と切替部１３はカウンター１の下部で連結管１２により連結されている。
【０００８】
前記温調部３は温調本体４と温調ハンドル２１とにより構成され、温調本体４はカウンター１の上下から締付部材１１を温調本体４の上部外周に形成された雄ねじ部５に螺着して固定されている。また、温調本体４は側面に給水管９，給湯管１０が接続され、内部には該給水管９，給湯管１０から供給された水と湯を混合して温度を調節するサーモスタット等の温度調節機構６が収容されている。カウンター１の上方には温調ハンドル２１が取り付けられており、該温調ハンドル２１を操作することで、吐水される湯水を所望する温度に設定することができる。
【０００９】
前記温調ハンドル２１は中空状の円筒形からなる操作部２２と、該操作部２２の下端で操作部２２より大径の表示プレート２３とが一体に形成されており、該表示プレート２３は締付部材１１の外周に螺着したカバー２７により上部から覆われている。また、図２に示すように温調ハンドル２１に形成された表示プレート２３の上面には、「４０」「４２」等の吐水される湯水の温度が表された表示２４が円周上に施されている。
【００１０】
前記操作部２２の内側には弾性片２６を備えたブッシュ２５が取り付けられており、温調本体４に収容されている温度調節機構６のスピンドル７に対し上方から温調ハンドル２１を押し込むと、弾性片２６がスピンドル７の外周面に形成された凹部８に弾力的に嵌合され、容易に取り付けることができる。
【００１１】
前記カバー２７は表示プレート２３より大径の略円盤形で、図３に示すように中央には前記温調ハンドル２１の操作部２２が挿通される挿通孔２８が設けられており、該挿通孔２８の周りには表示プレート２３に施されている表示２４が上方から見えるように、表示２４と同一円周上に装着孔２９が上下に貫通して形成されており、該装着孔２９には透明板３０が装着されている。
【００１２】
前記透明板３０はアクリル樹脂等で形成された透明なリング形で、円周上の一部に任意の形状をした表示窓３１（本実施例では円形）が設けられている。該表示窓３１には前記表示プレート２３に施されている表示２４を拡大表示する表示部材３２が取り付けられ、該表示部材３２はガラス等で形成された湾曲した凸状又は凹状をなし、レンズと同様の役割を果たすものである。
【００１３】
切替部１３は切替本体１４と切替ハンドル２１ａとにより構成され、切替本体１４は温調部３と同様、カウンター１の上下から締付部材２０を切替本体１４の上部外周に形成された雄ねじ部１５に螺着して固定されている。該切替本体１４内部には前記温調部３により混合された湯水の流路を切り替える切替機構１６が収容されている。また切替本体１４には、先端にシャワーヘッドや吐水口が取り付けられた複数の送水管１９（図１では１本のみ表示）が接続されている。カウンター１の上方には切替ハンドル２１ａが取り付けられており、該切替ハンドル２１ａを操作することで、吐水される湯水を所望する場所に切り替えることができる。
【００１４】
前記切替ハンドル２１ａは前記温調ハンドル２１と同一の構成をしており、中空状の円筒形からなる操作部２２ａと、該操作部２２ａの下端で操作部２２ａより大径の表示プレート２３ａが一体に形成されており、該表示プレート２３ａは締付部材２０の外周に螺着したカバー２７により上部から覆われている。また、切替ハンドル２１ａに形成された表示プレート２３ａの上面には、「カラン」「シャワー」等の吐水される湯水の吐水方向が表された表示２４ａが円周上に施されている。なお、カバー及び透明板の構成は前述した温調ハンドルの表示プレートと同一であるので、同一部材には同一符号を付して説明を省略する。
【００１５】
上記構成において、給水管９，給湯管１０から供給された水と湯は温調部３で混合され、連結管１２を介して切替部１３に流入する。この時、温調部３又は切替部１３の各ハンドル２１，２１ａを操作することで、吐水される湯水の温度の調節又は吐水方向を切り替えることができる。各ハンドル２１，２１ａを操作すると、操作部２２，２２ａと共に表示２４，２４ａが施されている表示プレート２３，２３ａが回転し、表示部材３２の真下に重なり合った文字や図形のみが図２のように拡大して表示されるので、水栓２の使用者は所望する湯水の温度や吐水方向を容易に視認することができる。なお、本実施例ではカバーに透明板を装着し、透明板に表示窓を設けたが、カバーに表示窓を直接設けてもよい。
【００１６】
図４は本発明の別の実施例であり、浴室の壁面１ａに取り付けられた水栓２ａは、水栓２ａの一方に温調ハンドル２１ｂを、他方に切替ハンドル２１ｃを取り付けたものである。なお、両ハンドルは同一の構成をなしている。
【００１７】
前記水栓２ａは壁面１ａに固定された給水管９ａ，給湯管１０ａより湯水が供給され、水栓２ａ内には温度調節機構６ａ及び切替機構１６ａが収容されており、略中央下部には吐水口１９ａが、背面側にはシャワーヘッドに連通するシャワーホース（図示省略）が接続されている。
【００１８】
前記ハンドル２１ｂ，２１ｃは略円筒形で、操作部２２ｂと、操作部２２ｂよりやや小径の表示プレート２３ｂとが一体に形成されており、表示プレート２３ｂはリング状のカバー２７ａにより覆われている。
【００１９】
前記表示プレート２３ｂの外周面には、「４０」「４２」等の吐水される湯水の温度や、「カラン」「シャワー」等の吐水される湯水の吐水方向が表された表示２４ｂが施されている。
【００２０】
前記カバー２７ａはハンドル２１ｂの操作部２２ｂと同径の円筒形で、円周上には任意の形状の表示窓３１ａが貫通して設けられており、表示窓３１ａには前記表示プレート２３ｂに施されている表示２４ｂを拡大表示する表示部材３２ａが取り付けられている。なお、カバー２７ａはアクリル樹脂等の透明なものでもよい。
【００２１】
上記構成において、給水管９ａ，給湯管１０ａから供給された水と湯は、温調ハンドル２１ｂ，切替ハンドル２１ｃを操作することで、吐水される湯水の温度の調節又は吐水方向を切り替えることができる。各ハンドル２１ｂ，２１ｃを操作すると、操作部２２ｂと共に表示２４ｂが設けられている表示プレート２３ｂが回転し、表示部材３２ａの真下に重なり合った文字や図形のみが拡大表示されるので、水栓２ａの使用者は所望する温度や吐水方向を容易に視認することができる。
【００２２】
【発明の効果】
本発明は請求項１では、水栓に取り付けられ、吐水される湯水の温度調節又は流路切替を行うハンドルにおいて、該ハンドルは吐水される湯水の温度，吐水方向等を示す表示が施された表示プレートを形成し、該表示プレートを覆うカバーを回転不能に固定し、該カバーには前記表示プレートの表示を拡大表示する表示部材を取り付け、ハンドルの回転に伴って表示部材と重なる表示を拡大して表示するので、ハンドルを小型化して表示が小さくても、使用者は湯水の吐水温度や吐水方向を容易に視認することができ、誤操作をするおそれがない。
【００２３】
請求項２では、前記カバーは表示部材と重なる表示のみを拡大表示するので、吐水中の湯水の温度又は吐水方向のみを離れた位置から視認することができ、使い勝手が大幅に向上する。
【図面の簡単な説明】
【図１】水栓をカウンターに取り付けた状態の断面図である。
【図２】図１の平面図である。
【図３】温調ハンドルの分解斜視図である。
【図４】本発明の別の実施例である。
【図５】従来技術の説明図である。
【図６】図５のハンドルの平面図である。
【符号の説明】
２，２ａ                水栓
２１，２１ｂ            温調ハンドル
２１ａ，２１ｃ          切替ハンドル
２３，２３ａ，２３ｂ    表示プレート
２４，２４ａ，２４ｂ    表示
２７，２７ａ            カバー
３２，３２ａ            表示部材
【図１】
0004625596.tif 000002
【図２】
0004625596.tif 000003
【図３】
0004625596.tif 000004
【図４】
0004625596.tif 000005
【図５】
0004625596.tif 000006
【図６】
0004625596.tif 000007